(57)【要約】本発明はバーナーを支持する構造をより簡素化して製造原価及び組立性を向上させ得るバーナー支持装置を提供する。また、前記バーナー支持装置を有する乾燥機を提供する。本発明はベースと、熱風を生成するバーナーと、前記ベースと前記バーナーとの間に設けられて前記バーナーを支持し、前記ベースに挿入着脱する主結合部を有する支持部材を含むことを特徴とする。前記支持部材は前記ベースに締結ネジにより締結される補助結合部をさらに備える。【選択図】図３
2004522140.tif 000002
【特許請求の範囲】
【請求項１】
ベースと、熱風を生成するバーナーと、前記ベースと前記バーナーとの間に設けられて前記バーナーを支持し、前記ベースに挿入着脱される主結合部を有する支持部材を含むバーナー支持装置。
【請求項２】
前記支持部材は前記ベースに締結ネジにより締結される補助結合部をさらに備える請求項１記載のバーナー支持装置。
【請求項３】
前記支持部材は前記バーナーの下部面を支持する支持部と、前記支持部の端部から前記ベースと平行に延長され、前記主結合部と前記補助結合部を形成するフランジを含む請求項２記載のバーナー支持装置。
【請求項４】
前記ベースは主結合部が挿入されて係止される係止片と、前記締結ネジが締結される結合孔とを有する請求項３記載のバーナー支持装置。
【請求項５】
前記係止片は前記ベースから切開された後、折り曲げられる請求項４記載のバーナー支持装置。
【請求項６】
前記支持部材は前記主結合部に形成される係止孔と、
前記係止片に形成され、前記主結合部が前記係止片に挿入されるとき、前記係止孔に挿入される係止突起をさらに含む請求項４記載のバーナー支持装置。
【請求項７】
前記主結合部の係止孔と前記補助結合部の結合孔は同一の内径を有する請求項６記載のバーナー支持装置。
【請求項８】
前記係止片は前記主結合部の両側コーナーに対応する位置に各々形成され、前記主結合部のコーナーに対応する三角形の挿入溝を有する請求項４記載のバーナー支持装置。
【請求項９】
前記バーナーと前記支持部材との間に位置し、前記バーナーが安着するバーナーベースをさらに備える請求項１記載のバーナー支持装置。
【請求項１０】
前記バーナーベースは前記バーナー本体が支持される本体ガイドと、前記バーナーの混合管が安着する管安着部を備える請求項９記載のバーナー支持装置。
【請求項１１】
前記管安着部は前記混合管の形状に対応する曲面を有する安着チャンネルを含める請求項１０記載のバーナー支持装置。
【請求項１２】
キャビネットと、前記キャビネットの内部に回転可能に設けられ、内部に被乾燥物を収容するドラムと、前記キャビネットの内部に設けられて熱風を生成するバーナーと、前記バーナーで生成される熱風を前記ドラム内部に案内するエアーダクトと、前記キャビネットの底面と前記バーナーとの間に設けられて前記バーナーを支持し、前記キャビネットに挿入着脱される主結合部と、締結ネジにより締結される補助結合部とを有する支持部材を含む乾燥機。
【請求項１３】
前記支持部材は前記バーナーの下部面を支持する支持部と、前記支持部の端部から前記キャビネットの底面と平行に延長され、前記主結合部及び前記補助結合部を形成するフランジを含む請求項１２記載の乾燥機。
【請求項１４】
前記キャビネットは前記主結合部が挿入されて係止される係止片と、前記締結ネジが締結される結合孔を有する請求項１３記載の乾燥機。
【請求項１５】
前記係止片は前記キャビネットから切開された後、折り曲げられる請求項１４記載の乾燥機。
【請求項１６】
前記支持部材は前記主結合部に形成される係止孔と、前記係止片に形成され、前記主結合部が前記係止片に挿入される時、前記係止孔に挿入される係止突起をさらに含む請求項１４記載の乾燥機。
【請求項１７】
前記主結合部の係止孔と前記補助結合部の結合孔は同一の内径を有する請求項１６記載の乾燥機。
【請求項１８】
前記係止片は前記主結合部の両側コーナーに対応する位置に各々形成され、前記主結合部のコーナーに対応する三角形の挿入溝を有する請求項１４記載の乾燥機。
【請求項１９】
前記バーナーと前記支持部材との間に位置し、前記バーナーが安着するバーナーベースをさらに備える請求項１２記載の乾燥機。
【請求項２０】
前記バーナーベースは前記バーナー本体が支持される本体ガイドと、前記バーナーの混合管が安着するように安着チャンネルを有する管安着部を含む請求項１９記載の洗濯機。
【発明の詳細な説明】
【０００１】
技術分野
本発明は乾燥機に関するもので、より詳しくは乾燥のための熱風を生成するバーナーを支持するバーナー支持装置及びこれを有する乾燥機に関する。
【０００２】
背景技術
一般的に、乾燥機は高温低湿な空気を用いて洗濯物を乾燥する装置であって、高温低湿な空気、即ち熱風を生成するためにバーナーを備えている。
【０００３】
図１は一般的な乾燥機の構成を示した分解斜視図であり、図２は従来技術による乾燥機のバーナー支持装置を示した断面図である。
【０００４】
まず、図１によると、前記乾燥機は外観を構成するキャビネット（図示せず）の内部に被乾燥物が収容されるドラム１が設けられる。前記ドラム１は円筒状で両端部が開放され、別途の駆動源（図示せず）により回転する。このために、前記ドラム１の外周面に駆動ベルト（図示せず）が巻かれるベルト溝２が形成される。そして、前記ドラム１の内部に回転時に被乾燥物を覆すバッフル１ａが設けられる。
【０００５】
前記ドラム１の開放された両端部に各々前面ヘッド３及び後面ヘッド５が設置される。この際、前記前面ヘッド３とドラム１との間、そして前記後面ヘッド５とドラム１との間に漏洩を防止するシーリング材６が設けられる。前記前面ヘッド３にドラム１の内部と外部とを連通させる通孔４が形成され、前記通孔４はドア（図示せず）により選択的に開閉される。前記前面ヘッド３の通孔４下にドラム１から空気が抜き出る流路上に出口組立体１１が設けられる。前記出口組立体１１の前面にリントフィルター（ｌｉｎｔ  ｆｉｌｔｅｒ、１２）が設けられる。前記リントフィルター１２は排出空気中に含まれている異物質を取り出す。
【０００６】
前記出口組立体１１の前方に、リントフィルター１２を内部に収容し、前記出口組立体１１と連通するリントダクト１３が設けられる。そして、前記リントダクト１３の後方にブロワー（ｂｌｏｗｅｒ、１４）が設けられる。前記ブロワー１４はドラム１内部の空気を強制的に排出させる原動力を提供する。前記ブロワー１４はブロワーハウジング１５内部に収容され、前記ブロワーハウジング１５はリントダクト１３と連通されると共に、外部に向いた排気パイプ１６に連結される。従って、前記ドラム１内部の空気は出口組立体１１とリントダクト１３及びブロワーハウジング１５と排気パイプ１６を順次に経て外部に排出される。
【０００７】
なお、前記後面ヘッド５の後方にエアー供給ダクト１７が設けられ、前記エアー供給ダクト１７の下部に熱風ダクト１８が設けられる。前記エアー供給ダクト１７及び熱風ダクト１８はドラム１の内部に熱風を供給する役割を果たす。このため、前記熱風ダクト１８の前方にバーナー２０が設けられる。
【０００８】
前記バーナー２０は供給されたガスを噴射させるバーナー本体２１と、前記バーナー本体２１から熱風ダクト１８の内部に延長される混合管２２からなる。前記バーナー本体２１はガス供給管２４に連結され、ガスの供給を制御するバルブ（図示せず）を有する。前記混合管２２はバーナー本体２１から噴射されたガスを空気と混合させる役割をする。前記混合管２２の先端に点火のためのスパークプラグ２３が設けられる。
【０００９】
一方、図２を参照して前記バーナー２０の支持構造を説明すると、次の通りである。
【００１０】
図２に示すように、前記キャビネットの底面または別途のベース３０に前記バーナー２０を支持する“Ｗ”字状の支持台４０が設けられる。従って、前記バーナー２０は支持台４０の上面に混合管２２が安着することにより、前記支持台４０に支持される。この際、前記支持台４０の両側面端部にベース３０に結合される締結フランジ４１が延長される。前記締結フランジ４１は別途の締結ネジ４２により前記ベース３０に固く固定される。
【００１１】
しかし、従来の技術によると、前記バーナー２０を支持する構造において、次のような問題がある。
【００１２】
即ち、従来には前記支持台４０をベース３０に固定するため、複数個の締結ネジ４２が必要であった。これは部品の増加を意味し、製造原価を上昇させる原因となる。また、前記締結ネジ４２を一つ一つ締結することで作業数が増加し、これにより組立の作業性が非常に低下する。
【００１３】
発明の開示
本発明は、上記の問題点を解決するためのもので、バーナーを支持する構造をより簡素化して製造原価及び組立性を向上させ得るバーナー支持装置を提供することにその目的がある。
【００１４】
また、本発明の他の目的は、前記バーナー支持装置を有する乾燥機を提供することである。
【００１５】
本発明のさらなる機能および利点は以下において説明され、その記載から部分的に明らかであり、本発明を実施することによって確認され得る。本発明の目的およびその他の利点は、記載されている明細書、特許請求の範囲および添付の図面において特に指摘された構造から理解され、かつ、得られる。
【００１６】
上記目的を達成するため、本発明はベースと、熱風を生成するバーナーと、前記ベースと前記バーナーとの間に設けられて前記バーナーを支持し、前記ベースに挿入着脱する主結合部を有する支持部材を含むバーナー支持装置を提供する。
【００１７】
前記支持部材は前記ベースに締結ネジにより締結される補助結合部をさらに備える。このため、前記支持部材は前記バーナーの下部面を支持する支持部と、前記支持部の端部から前記ベースと平行に延長され、前記主結合部と前記補助結合部を形成するフランジからなる。
【００１８】
前記ベースは主結合部が挿入されて係止される係止片と、前記締結ネジが締結される結合孔とを有する。この際、前記主結合部に係止孔が形成され、前記係止片に主結合部が挿入されるとき、前記係止孔に挿入される係止突起が形成される。
【００１９】
前記係止片はベースと一体に形成されるが、前記ベースから切開された後、折り曲げられる。また、前記係止片は主結合部の両側コーナーに対応する位置に各々形成され、前記主結合部のコーナーに対応する三角形の挿入溝を有する。
【００２０】
なお、前記バーナーと前記支持部材との間に前記バーナーが安着するバーナーベースがさらに設けられる。前記バーナーベースはバーナー本体が支持される本体ガイドと、前記バーナーの混合管が安着する管安着部で構成される。この際、前記菅安着部に混合管の形状に対応する曲面を有する安着チャンネルが形成される。
【００２１】
さらに、本発明はキャビネットと、前記キャビネットの内部に回転可能に設けられ、内部に被乾燥物を収容するドラムと、前記キャビネットの内部に設けられて熱風を生成するバーナーと、前記バーナーで生成される熱風を前記ドラム内部に案内するエアーダクトと、前記キャビネットの底面と前記バーナーとの間に設けられて前記バーナーを支持し、前記キャビネットに挿入着脱される主結合部と、締結ネジにより締結される補助結合部とを有する支持部材を含む乾燥機を提供する。
【００２２】
本発明によると、前記支持部材は主結合部が係止片に挿入される過程だけでも前記ベース又はキャビネットの底面に十分に支持される。従って、本発明は締結ネジの数を減らすことにより、製造原価を低くすると共に、組立作業が簡単になって作業性を向上させ得る。
【００２３】
上掲の一般的な説明と以下の詳細な説明との両方が例示的かつ説明的であり、特許請求の範囲における発明のさらなる説明を提供することを意味していることは理解されるべきである。
【００２４】
添付の図面は、本発明のさらなる理解を提供するために含まれ、本明細書に組み込まれ、その一部を構成している。また、添付の図面は、本発明の実施形態を示し、解説と共に本発明の原理を説明するために役立つ。
【００２５】
発明を実施するための最良の形態
以下、前記目的を具体的に実現し得る本発明の望ましい実施例を添付の図面を参照しながら説明する。
【００２６】
図３は本発明による乾燥機のバーナー支持装置を示した断面図、図４は本発明よるバーナー支持装置のバーナーベースと支持部材を示した斜視図、図５は本発明によるバーナー支持装置において、支持部材がベースに装着されたものを示した平面図である。
【００２７】
説明に先立ち、後に説明するバーナー支持装置は図１に示した乾燥機の一部である。しかし、本発明によるバーナー支持装置はたんに乾燥機ばかりではなく、バーナーを有するどんな機器にも、例えば乾燥兼用洗濯機などにもいくらでも適用可能である。
【００２８】
まず、図３に示されているように、キャビネット５０の底面上に乾燥のための熱風を生成するバーナー２０が設けられる。前記バーナー２０はガスバーナーであって、供給されたガスを噴射させるバーナー本体２１と、前記バーナー本体２１から熱風ダクト１８の内部に延長される混合管２２で構成される。前記バーナー本体２１はガス供給管（図１参照）に連結され、ガスの供給を制御するバルブ（図示せず）を有する。前記混合管２２はバーナー本体２１から噴射されたガスを空気と混合させる役割を果たす。また、前記混合管２２の先端に点火のためのスパークプラグ２３が設けられる。
【００２９】
前記熱風ダクト１８はドラムと連通するエアー供給ダクト１７に連結される。従って、前記混合管２２の先端に火炎が形成される場合、前記熱風ダクト１８で熱風が生成され、前記熱風はエアー供給ダクト１７を通じてドラム内部に供給される。
【００３０】
前記バーナー２０は支持部材６０によりキャビネット５０の底面上に支持される。図４に示されているように、前記支持部材６０は
【００３１】
【数１】
2004522140.tif 000003
字状の支持部６１、６３と前記支持部の端部からキャビネット５０の底面と平行に延長される締結フランジ６５、６７で構成される。
【００３２】
前記支持部は所定面積を有し、前記バーナー２０の下部面を支持する上面板６１と、前記上面板６１からキャビネット５０の底面側に折り曲げられる両側面板６３からなる。この際、前記上面板６１は混合管２２の設計条件に従って前記熱風ダクト１８を向いて上向きに傾くように形成され得る。そして、前記締結フランジ６５、６７は側面板６３の端部から各々延長される。
【００３３】
前記締結フランジのうち、図面上右側の締結フランジ６５は主結合部を形成し、左側締結フランジ６７は補助結合部を形成する。前記主結合部６５はキャビネット５０の底面に挿入着脱される部分であり、前記補助結合部６７はキャビネット５０の底面に締結ネジ６９により結合される部分である。このため、前記補助結合部６７に締結ネジ６９が結合される結合孔６８が形成される（図５参照）。
【００３４】
前記主結合部６５との締結のため、前記キャビネット５０の底面に主結合部６５が挿入される係止片５１が形成される。前記係止片５１はキャビネット５０から切開された後、折り曲げられる過程を通じて形成され、ほぼ“┐”形状を有する。この際、前記主結合部６５に係止孔６６が形成され、前記係止片５１の下に凸状に突出する係止突起５３が各々形成される。この場合、前記主結合６５が係止片５１の内部に挿入されるとき、前記係止突起５３が係止孔６６に挿入される。即ち、前記係止突起５３及び係止孔６６は主結合部６５の結合力を堅固にする役割を果たす。
【００３５】
なお、前記主結合部６５の係止孔６６と補助結合部６７の結合孔６８は互いに同じ内径を有する。これは、前記結合孔６８及び係止孔６６の穿孔作業の際、同一の工具を用いるためである。この場合、工具を交替せずに穿孔作業が可能であるため、作業性を向上させ得る。
【００３６】
一方、図５に示すように、前記係止片５１は主結合部６５の両側コーナーに対応する位置に各々形成される。そして、前記係止片５１は上側から見るとき、前記主結合部６５のコーナーに対応する三角形の挿入溝を有する。また、前記係止片５１の中心部に各々係止突起５３が形成されることが分かる。従って、前記主結合部６５が係止片５１に挿入されるとき、前記主結合部６５のコーナーに隣接する両側端６５ａは前記係止片６１の内壁により支持される。この場合、前記主結合部６５にある方向の力が作用しても、前記係止片５１は主結合部６５をさらに堅固に支持することになる。
【００３７】
一方、図４に示すように、前記バーナー２０と前記支持部材６０との間にバーナーベース７０が設けられる。前記バーナーベース７０は支持部の上面板６１上に安着し、前記バーナー２０を支持する。これを具体的に説明すると、前記バーナーベース７０はバーナー本体２１を支持する本体ガイド７１と、混合管２２を支持する管安着部７３からなる。前記本体ガイド７１は上面板６１から外れた位置に突出して形成され、前記管安着部７３は上面板６１上に安着する。この際、前記管安着部７３にバーナー２０の混合管２２に対応する曲面を有する安着チャンネル７４が形成される。そして、前記安着チャンネル７４に管安着部７３を貫通する通孔７５が形成される。
【００３８】
以下、本発明によるバーナー支持装置の作用に関して詳しく説明すれば、次の通りである。
【００３９】
図３に示すように、まず前記キャビネット５０の底面上に支持部材６０が結合され、前記支持部材６０上にバーナーベース７０を媒介としてバーナー２０が安着する。
【００４０】
この過程を順序どおりに並べると、前記支持部材６０の主結合部６５が係止片５１に挿入された後、前記補助結合部６７がキャビネット５０に結合される。即ち、前記主結合部６５が係止片５１に完全に挿入されると、前記係止突起５３が係止孔６６に安着した仮組立状態になる。この際、前記補助結合部６７の結合孔６８は自然にキャビネット５０の結合孔に対応することになる。この後、締結ネジ６９を前記結合孔６８に締結することにより、前記支持部材６０はキャビネット５０に完全に結合される。この状態は図５に示す通りである。これによると、前記主結合部６５は三角形状の係止片５１に挿入される。この場合、前記係止片５１は支持部材６０の先端方向移動は勿論、幅方向移動まで制限することにより、前記支持部材６０はどの方向にも移動できない。
【００４１】
次いで、前記支持部材６０の上面板６１にバーナーベース７０の管安着部７３が安着し、前記バーナーベース７０にバーナー２０が安着する。この際、前記バーナー本体２１は本体ガイド７１に安着し、混合管２２は管安着部７３に安着する。この際、前記混合管２２は管安着部７３の凹入溝である安着チャンネル７４に安着することにより、前記バーナー２０バーナーベース７０により堅固に支持される。
【００４２】
上記にいくつかの実施例を説明したにもかかわらず、本発明がこの趣旨及び範疇から外れず、他の多様な形態に具体化され得るという事実は該当技術に通常の知識を有する者には自明なものである。従って、上述した実施例は制限的なものではない例示的なものとして考えるべきであり、添付の請求項及びこの同等範囲内にある全ての実施例は本発明の範疇内に含まれる。
【００４３】
産業上の利用可能性
本発明によるバーナー支持装置およびこれを有する乾燥機は次のような効果を提供する。
【００４４】
本発明による支持部材はキャビネットに挿入される主結合部とキャビネットに締結ネジで結合される補助結合部とを有する。即ち、前記主結合部はキャビネットの係止片に挿入され、前記補助結合部は締結ネジを通じて前記キャビネットに結合される。
【００４５】
従って、本発明は締結ネジの数を減らすことにより、製造原価を低くすることができ、また作業数を減らすことにより、組立作業性を向上させ得る。
【００４６】
さらに、本発明は前記主結合部と補助結合部により前記支持部材をキャビネットにさらに堅固に結合できる。
【図面の簡単な説明】
【図１】
図１は一般的な乾燥機の構成を示した分解斜視図である。
【図２】
図２は従来技術による乾燥機のバーナー支持装置を示した断面図である。
【図３】
図３は本発明による乾燥機のバーナー支持装置を示した断面図である。
【図４】
図４は本発明によるバーナー支持装置のバーナーベースと支持部材を示した斜視図である。
【図５】
図５は本発明によるバーナー支持装置において、支持部材がベースに装着されたことを示した平面図である。
【国際公開パンフレット】
2004522140.tif 000004
2004522140.tif 000005
2004522140.tif 000006
2004522140.tif 000007
2004522140.tif 000008
2004522140.tif 000009
2004522140.tif 000010
2004522140.tif 000011
2004522140.tif 000012
2004522140.tif 000013
2004522140.tif 000014
2004522140.tif 000015
2004522140.tif 000016
2004522140.tif 000017
2004522140.tif 000018
2004522140.tif 000019
2004522140.tif 000020
2004522140.tif 000021
2004522140.tif 000022
【国際調査報告】
2004522140.tif 000023
2004522140.tif 000024